(57)【要約】      （修正有）【課題】シンプルで取り扱いが簡単で、指圧をする場所に柔らかく、なめらかな刺激を与え、心地良い刺激を与える指圧器を提供する。【解決手段】指圧器台座３に、２ケ所、球形状の指圧球を入れる楕円形の穴４を作り、指圧球１の半分以上、指圧球を入れる楕円形の穴４へ挿入し、指圧球１は左右に移動するため隙間があるので、跳び出ないよう、指圧球を入れる楕円形の穴４の上面に、指圧球押さえ入れ１１の凹みを作り、二枚の押さえの内、下の方にステンレスを入れ、ステンレスの上に、もう一枚スムーズに指圧球１が移動出来るよう、クラフトシートで作った押さえを入れ、クラフトシートの上に木製の上蓋７をし、指圧球１を囲って有る。【選択図】図１
0003175762.tif 000002
【実用新案登録請求の範囲】
【請求項１】
指圧器台座３に、２ケ所、球形状の指圧球を入れる楕円形の穴４を作り、指圧球１の半分以上、指圧球を入れる楕円形の穴４へ挿入。指圧球１は左右に移動するため隙間があるので、跳び出ないうように、又物をはさみ込ま無いよう、指圧球を入れる楕円形の穴４の上面に、指圧球押さえ入れ１１の凹みを作り、二枚の押さえの内、下の方にステンレス１０ａを入れる。ステンレスの上に、もう一枚スムーズに指圧球１が移動出来るよう、クラフトシート１０ｂで作った押さえを入れ、クラフトシートの上に木製の上蓋７をし、指圧球１を囲って有ることを特徴とする指圧器。
【請求項２】
指圧球１は、普段は、楕円形の穴４の底を中心に向かって、斜めに傾斜５を付け、台座の中心内側１２に来るようにしてある。指圧をするときに脊椎の両傍の、痛みや懲りに対してもう少し、指圧頭の間隔１３が広い方が良いという感じの場合は、指圧器１０の上で腰部を左右に動揺させ、体重を指圧頭に掛けることにより、前記指頭間隔１３が広がることを特徴とする指圧器。
【請求項３】
指圧球１は自在に回転し、移動することが出来るので、可動性が有ることにより、「ツボ」の当たりが柔らかく、指圧していた部位を次の「ツボ」に移動時、指圧球１との摩擦が軽減されることを特徴とする指圧器。
【考案の詳細な説明】
【考案の詳細な説明】
【技術分野】
【０００１】  本考案は、２個の指圧頭を台座と一体に構成した指圧器を、ベットや床面に仰臥位に寝て、背中や腰部などに置き自重をかけ、血行を良くし、こりや痛みを軽減しようとする指圧用具である。
【背景技術】
【０００２】  台座に指圧体を入れたり、固定したりして、指圧体の指圧頭で、「つぼ」を指圧する器具がある。構造もシンプルな物から、電気などの動力を使用したり、ネジやバネなどで高さの調節、左右の指圧時の間隔などが、調節出来る高価な物から、色々な資材を使い、形や構造の違った、取り扱いも簡単な物から複雑な物等の、指圧器などがある。
【先行技術文献】
【特許文献】
【０００３】
【特許文献１】  公開実用新案昭６１−１６８８２２「スライド式任意間隔指圧器」
【考案の概要】
【考案が解決しようとする課題】
【０００４】  従来ある指圧器を使用される方の中に、心地良くて寝てしまう事があり、指圧器を当てたまま寝入ってしまい、そのため指圧していた所がうつ血したり、中にはかえって痛みがますということ等もあるので、シンプルで取り扱いが簡単で、痛みを与えず心地良い刺激を与えることが出来る指圧器の提供を課題とする。
【課題を解決するための手段】
【０００５】  木製の台座３の２ケ所に、球状の指圧球１の半分以上を入れる楕円形の穴４を作り、指圧球１は自在に回転するよう、指圧球頭間隔１３は、７０〜８０ｍｍ程に制作した。【０００６】  正面図１の左右の指圧球頭２は、台座３の中心内側１２より左右外側に７．５ｍｍ程、それぞれ移動出来、左右の指圧球頭間隔１３は、８５〜９５ｍｍ程に広がり、「ツボ」に効率良く当たるようにした。【０００７】  台座の楕円形の穴４の底を斜めに傾斜５を付け、台座の中心内側１２に近い楕円形の穴４内側が、指圧球１の定位置になつている。腰部を指圧するときなど、脊椎の両傍の、痛みや懲りに対してもう少し、指圧頭の間隔１３が広い方が良いという感じの場合は、指圧器図１０の上で、腰部を左右に動かすことにより、体の重みで指圧球１は、外側へ移動し、「ツボ」に効果的な刺激を与える事が出来る。【０００８】  指圧球１が左右に移動するため隙間があるので、指圧球１が跳び出たり、色々なものが挟み込まれ無いように、指圧球を入れる楕円形の穴４の上面に、浅い指圧球押さえ入れ１１の凹みを作り、ステンレス０．５ｍｍ１０ａで押さえる。ステンレスの上にもう一枚、指圧球がスムーズに移動できるよう、クラフトシート０．７５ｍｍ１０ｂで押さえ、木製の板を上蓋７する。【０００９】  指圧器の高さは、体格の違いや、いろいろな条件の違い等による個人差があるので、指圧する部位に、効果的な刺激を与えるようにし、台座３の下から、指圧頭の高さ４８〜６５ｍｍ、台座の高さは３０〜４０ｍｍ程である。指圧器の刺激が弱い場合は、木製の板で厚さ１０ｍｍを置物にして、高低の調整を行う。【００１０】  同じ量の押圧の力で、小い面積の指圧頭と大き面積の指圧頭で、生体を指圧した場合、小さい面積の方が、生体に対する刺激の量は、大きくそのため指圧体の直径は、３５〜６５ｍｍ程である。【００１１】  痛みや、凝りのある局所だけに、指圧器図１０を使用するのではなく、少し離れた部位に、指圧器を複数台で使用することもある。
【考案の効果】
【００１２】  指圧時、腰部に一台設置し、もう一台を少し離れた臀部とか下肢のツボなどへ、指圧器１０を複数同時に使い、指圧することにより、血液の流れが良くなり、生体の反応が良くなって痛みなどが軽減し、時間の短縮を図る事が出来、相乗効果が上がつた。つい眠り、長時間一局所に、指圧をすることが避けられて、うつ血や痛みが無くなった。【００１３】  指圧球１は自在に回転し、移動することが出来るので、可動性が有ることにより、「ツボ」の当たりが柔らかく、指圧していた部位を次の「ツボ」に移動時、使用者と指圧球頭２との摩擦を減らし負担が軽減した。【００１４】  台座３、指圧球１には、木球を使用し、指圧球押さえ１０以外、台座３の上面の上蓋、図１０の、すべてが、木製で、木の持つぬくもり感と手触り感、そして檜の香りがあり、ローコストで制作でき、提供出来るように成った。
【図面の簡単な説明】
【００１４】
【図１】本考案の指圧器の正面図である
【図２】指圧器の平面図である。
【図３】指圧器の正面断面図である。
【図４】押さえ蓋  木製の押さえ。
【図５】１０ａ  ステンレス  押さえ。
【図６】１０ｂ  クラフトシート  押さえ。
【図７】指圧器側面図である。「左右同じ形であるので、一つの図のみ」。
【図８】指圧器側面断面図。「左右同じ形であるので、一つの図のみ」。
【図９】ベット上に仰臥位になり、指圧器で指圧を行っている概略図である。
【図１０】指圧器  斜視図
【考案を実施するための形態】
【００１５】以下図面に基づいて、本考案の実施形態を説明する。
【００１６】  本考案の図１正面図である。木製の台座３に２ケ所、指圧球１の半分以上を入れる楕円形の穴４を作り、指圧球１を自在に回転させながら、指圧頭２の左右の指圧球頭の間隔１３を１５ｍｍ程広がるようにした。間隔を大幅に広げようとすると、目の届かない場所のため、安定感が損なわれ、ネジ等で調節したり、複雑になるので、手軽に使用出来る構造にした。
【００１７】  指圧球１が、指圧器を使用しないときは、楕円形の穴４の底を少し斜めに傾斜５を付けたことにより台座の中心内側１２に来る。指圧するときなど、脊椎の両傍の痛みや懲りに対してもう少し、指圧頭の間隔１３が広い方が良いという場合は、指圧器図１０の上で、腰部を左右に動かすことにより、体の重みで指圧球１は、外側へ移動し、「ツボ」に効果的な刺激を与える。
【００１８】  指圧球１は左右に移動するため隙間があるので、指圧球１が跳び出無いように、又物が挟まれないよう薄いステンレス１０ａで押さえる。ステンレスの上に指圧球１がスムーズに移動できるよう、クラフトシート０．７５ｍｍ（１０ｂ）で押さえ、一番上は上蓋７で押さえる。
【００１９】  材質は木製であるが、これだけでなく、高齢者の方たちのためには、軽い材料なども使用し、中空にしたものなども使ったり、指圧器図１０の左右に取ってを付けたものも提供し、取り扱いが容易に出来るようにする。
【００２０】  高齢の方で病院などに、腰や足が痛くて通院しているが、誰かの世話に成らなければ、行く足がないので、月に１回位しか行くことが出来ないと言われる方などや、運動量が少なく体をあまり使われない方など、長く療養されておられる方などには、軟性のゴム製ボールやスポンジボール、中空のボール等も利用し、指圧器全体の高さの低くい指圧器を制作して、痛みを与えず強い刺激にならないようにする。台座３の底面から指圧球頭２の高さは４８〜６５ｍｍ程にする。
【実施例１】
【００２１】  図９ベット上に仰臥位になり、指圧を行っている概略図である。この指圧器図１０は主に腰部や仙骨部などに使用する。
【符号の説明】
【００２２】  １  指圧球
２  指圧球頭
３  台座  長方形で木製
４  指圧球を入れる穴  楕円形。
５  指圧球を入れる穴  底面に台座の中心内側に向かって、斜めに傾斜している。
６  凹み  小さな凹み。
７  上蓋  木製
８  上蓋楕円形の穴
９  押さえ板受け
１０  指圧球押さえ    １０ａ  ステンレス板    １０ｂ  ＰＰクラフトシート。
１１  指圧球押さえ入れ。    下に１０ａ  上に１０ｂ  上下に２枚を入れる。
１２  台座中心
１３  指圧球頭の間隔
１４  人体
１５  指圧器
【図１】
0003175762.tif 000003
【図２】
0003175762.tif 000004
【図３】
0003175762.tif 000005
【図４】
0003175762.tif 000006
【図５】
0003175762.tif 000007
【図６】
0003175762.tif 000008
【図７】
0003175762.tif 000009
【図８】
0003175762.tif 000010
【図９】
0003175762.tif 000011
【図１０】
0003175762.tif 000012
【手続補正書】
【提出日】平成24年3月1日(2012.3.1)
【手続補正１】
【補正対象書類名】実用新案登録請求の範囲
【補正対象項目名】全文
【補正方法】変更
【補正の内容】
【実用新案登録請求の範囲】
【請求項１】
指圧器台座３に、２ケ所、球形状の指圧球を入れる楕円形の穴４を作り、指圧球１の半分以上、指圧球を入れる楕円形の穴４へ挿入し、指圧球１は左右に移動するため隙間があるので、跳び出ないよう、指圧球を入れる楕円形の穴４の上面に、指圧球押さえ入れ１１の凹みを作り、二枚の押さえの内、下の方にステンレス１０ａを入れ、ステンレスの上に、もう一枚スムーズに指圧球１が移動出来るよう、クラフトシート１０ｂで作った押さえを入れ、クラフトシートの上に木製の上蓋７をし、指圧球１を囲って有ることを特徴とする指圧器。
【請求項２】
指圧球１は、普段は、楕円形の穴４の底を中心に向かって、斜めに傾斜５を付け、台の中心内側１２に来るようにしてあり、指圧頭の間隔１３を広げる場合は、指圧器１０の上に自重を乗せ身体を左右に動揺させる事により、指頭間隔１３が広がる様にしてあることを、特徴とする請求項１記載の指圧器。
【請求項３】
指圧球１は自在に回転し、移動するようにしてあり、指圧していた部位を次のツボに移動時、身体との摩擦が軽減するようにしてあることを特徴とする請求項１記載の指圧器。